(57)【特許請求の範囲】
【請求項１】
軒樋から垂下して軒樋からの雨水を貯える雨水タンクの上部には、雨水タンクから雨水をオーバーフローさせる開口部とこの開口部から雨水タンクの外部に伸びた筒状の鳴動装置が設けられ、雨水タンクからオーバーフローした雨水が鳴動装置の内部を通る際に鳴動装置内部に設けた鳴動部に当たることにより鳴動音を発生させるようになしたことを特徴とする鳴動装置付雨水タンク。
【請求項２】
雨水タンクは下部底面が閉じられた縦樋形状であり、同下部は地面に達していることを特徴とする請求項１記載の鳴動装置付雨水タンク。
【請求項３】
鳴動部は揺動するように固定された覆い部と、覆い部から吊り下げられた吊り下げ部とを有し、オーバーフローした雨水が覆い部に当たると覆い部は揺動し、この揺動によって吊り下げ部が衝突鳴動し鳴動音を発生するようになしたことを特徴とする請求項１または２記載の鳴動装置付雨水タンク。
【発明の詳細な説明】
【技術分野】
【０００１】
本願発明は、軒樋で集められた雨水を貯える雨水タンクに関するものである。
【背景技術】
【０００２】
従来から、特開２００４−２４４８７８号公報に示される如く、軒樋で集められた雨水を貯えるとされる雨水タンクは知られている。この種の雨水タンクは、図３に示す如く、軒樋４からの雨水が縦樋５を経由して雨水タンク１１に流入して貯えられるようになしたものであった。貯えられた雨水は、植物への水遣りなどに利用すれば水道水の節約となり、環境に負荷をかけない生活を実現する。
【０００３】
ところで、このような雨水タンクを用いた場合には、降った雨水が雨水タンクに貯えられるという目的は達成することができるものの、雨水によってそれ以上の効果をもたらされることは無い。従来、雨水や風によってもたらされる自然のエネルギーを用いて潤いのある生活が営なまれてきた。例えば、風鈴の如く、風という自然のエネルギーによって金属やガラス等を鳴動させて情緒ある鳴動音を発生させ、その鳴動音により四季の移ろいや天候等を感じることを可能となすことにより、潤いのある生活を営んできた。
【０００４】
風等の自然エネルギーを用いて発生する音には、台風によってもたらされる暴風による激しい騒音も含まれるが、そのような騒音は生活に潤いを与えることは不可能である。情緒があると判断されるような音によって、生活に潤いが与えられる。
【０００５】
従って、雨水タンクにおいても、雨水の有する位置エネルギーを用いて金属やガラス等を鳴動させる等の手段によって情緒ある音を発生させ、その鳴動音により四季の移ろいや天候等を感じることを可能となせば、雨水を貯えるだけの効果しか有しない雨水タンクよりも生活に潤いを与えることができる。
【特許文献１】特開２００４−２４４８７８号公報
【発明の開示】
【発明が解決しようとする課題】
【０００６】
本願発明は、上記背景技術に鑑みて発明されたものであり、その課題は、軒樋から集めた雨水を貯えることを可能とするだけでなく、使用者の生活に潤いを与えることをも可能となした雨水タンクを提供することである。
【課題を解決するための手段】
【０００７】
上記課題を解決するために、本願発明の鳴動装置付雨水タンクにあっては、軒樋から垂下して軒樋からの雨水を貯える雨水タンクの上部には、雨水タンクから雨水をオーバーフローさせる開口部とこの開口部から雨水タンクの外部に伸びた筒状の鳴動装置が設けられ、雨水タンクからオーバーフローした雨水が鳴動装置の内部を通る際に鳴動装置内部に設けた鳴動部に当たることにより鳴動音を発生させるようになしたものである。
【０００８】
又、雨水タンクは下部底面が閉じられた縦樋形状であり、同下部は地面に達しているようになしたものである。又、鳴動部は揺動するように固定された覆い部と、覆い部から吊り下げられた吊り下げ部とを有し、オーバーフローした雨水が覆い部に当たると覆い部は揺動し、この揺動によって吊り下げ部が衝突鳴動し鳴動音を発生するようになしたものである。
【発明の効果】
【０００９】
本願発明の鳴動装置付雨水タンクにおいては、雨水が鳴動部に当たることにより鳴動音を発生させるようになしたことから、軒樋に集められた雨水の位置エネルギーを鳴動音に変換することが可能となった。また、鳴動音は、雨水タンクからオーバーフローした雨水が鳴動部に当たることにより発生するものであるから、軒樋から落下した雨水がそのまま鳴動部に当たった場合に発生する騒音と異なり、穏やかで情緒ある鳴動音が発生し、使用者の生活に潤いを与えることが可能である。
【００１０】
又、雨水タンクは下部底面が閉じられた縦樋形状であることから、設置場所が小さくて済むため、一般家庭においても設置が容易となる。さらに、雨水タンクの下部は地面に達していることから、雨水タンクを宙吊りにしている場合と異なり安定して設置することを可能となした。
【００１１】
又、オーバーフローした雨水が覆い部に当たると覆い部は揺動し、この揺動によって吊り下げ部が衝突鳴動し鳴動音を発生するようになしたことから、雨水が直接吊り下げ部に当たって騒音が発生することを防ぐと共に、揺動による衝突鳴動が情緒ある鳴動音を発生させることが出来る。
【発明を実施するための最良の形態】
【００１２】
図１、２は、本願の請求項１〜３全てに対応した一実施形態である鳴動装置付雨水タンク１を示している。この実施形態の鳴動装置付雨水タンク１は、軒樋４から垂下して軒樋４からの雨水を貯える雨水タンク１１の上部には、雨水タンク１１から雨水をオーバーフローさせる開口部１１１とこの開口部１１１から雨水タンク１１の外部に伸びた筒状の鳴動装置２が設けられ、雨水タンク１１からオーバーフローした雨水が鳴動装置２の内部を通る際に鳴動装置２内部に設けた鳴動部３に当たることにより鳴動音を発生させるようになしている。
【００１３】
又、雨水タンク１１は下部底面１１２が閉じられた縦樋形状であり、同下部は地面に達している。
【００１４】
又、鳴動部３は揺動するように固定された覆い部３１と、覆い部３１から吊り下げられた吊り下げ部３２とを有し、オーバーフローした雨水が覆い部３１に当たると覆い部３１は揺動し、この揺動によって吊り下げ部３２が衝突鳴動し鳴動音を発生するようになしている。
【００１５】
以下、この実施形態の鳴動装置付雨水タンク１を、より具体的詳細に説明する。図１、２に示すように、鳴動装置付雨水タンク１は雨水タンク１１の上部に鳴動装置２が接続された構造であり、家屋に設けた軒樋４と、雨水タンク１１の上部とが接続されている。雨水タンク１１は、垂直に設置した円筒状の縦樋のような外観である。雨水タンク１１は建物の壁面に固定されており、また下部底面１１２が地面に到達しているので、雨水タンク１１本体の重量と貯えている雨水の重量は地面で支持される。
【００１６】
軒樋４に集められた雨水は雨水タンク１１に流入して貯えられる。雨水タンク１１の上部には開口部１１１が設けられており、軒樋４から雨水タンク１１へ流入した雨水が、雨水タンク１１の容量を超えた場合には、オーバーフローした雨水が開口部１１１を経由して筒状の鳴動装置２へと流入する。
【００１７】
鳴動装置２は円筒形状をしており、下部が地面に達している。鳴動装置２は家屋の壁面に固定されており、また地面で重量を支持されている。また底面が閉じられており、内部に雨水が貯えられるようになしている。オーバーフローした雨水は、鳴動部３に当たった後、鳴動装置２の下部に貯えられる。貯えられた水は蛇口２１から随時排出が可能となっている。
【００１８】
オーバーフローした雨水は、一度雨水タンク１１に流入してから鳴動装置２に流入するので、軒樋４から直接落下した場合に比較して穏やかに落下し、鳴動装置２の内部に設けた鳴動部３に当たると、鳴動装置２から騒音ではなく情緒ある鳴動音が発生する。
【００１９】
鳴動部３について図１、２に示す。鳴動部３は、円筒状の鳴動装置２内に設けられており、図２に示すように、覆い部３１、軸３１１、吊り下げ部３２からなる。軸３１１は金属製の棒形状をしており、その長さは鳴動装置２の内径とほぼ同一である。軸３１１は略水平でその両端が鳴動装置２の内壁に水平に取り付けられている。
【００２０】
覆い部３１は金属製の円盤であり、軸３１１を中心に回転するように取り付けられている。覆い部３１の下面には短冊状の金属片である吊り下げ部３２が針金を介して複数個吊り下げられている。吊り下げ部３２を覆い部３１に取り付ける位置は、対になる２個の吊り下げ部３２が覆い部３１の中心点に対称な位置に取り付けられており、これにより覆い部３１は水平に保たれてかつ揺動が容易となされている。
【００２１】
オーバーフローした雨水が当たった覆い部３１は、吊り下げ部３２の重量によって、回転することなく穏やかに揺動する。この穏やかな揺動によって、吊り下げ部３２同士が衝突鳴動して鳴動音が発生する。揺動が穏やかであるので、吊り下げ部３２からは騒音でなく情緒ある音が発生する。オーバーフローした雨水は覆い部３１に当たって、吊り下げ部３２に直接当たらないため、吊り下げ部３２同士が強く衝突して騒音が発生することを防いでいる。
【００２２】
図１（ｂ）に示すように、鳴動部３が上下に２個設けられているおり、オーバーフローした雨水が下方に流れることに伴って上下の鳴動部３を鳴動させる。２個の鳴動部３から発生する音は協和音であり、同時に鳴動した場合には聞き手に心地よい感じを与える。鳴動装置２に貯えられた雨水の水位が上昇して水没した鳴動部３は、下方に流れるオーバーフローした雨水が当たらないため鳴動しない。
【００２３】
本実施形態の鳴動装置付雨水タンク１においては、雨水が鳴動部３に当たることにより鳴動音を発生させるようになしたことから、軒樋４に集められた雨水の位置エネルギーを鳴動音に変換することが可能となった。また、鳴動音は、オーバーフローした雨水が鳴動部３に当たることにより発生するものであるから、軒樋４から落下した雨水がそのまま鳴動部３に当たった場合に発生する騒音と異なり、穏やかで情緒ある鳴動音が発生し、使用者の生活に潤いを与えることが可能である。
【００２４】
又、雨水タンク１１は下部底面１１２が閉じられた縦樋形状であることから、設置場所が小さくて済むため、一般家庭においても設置が容易となる。さらに、雨水タンク１１の下部は地面に達していることから、雨水タンク１１を宙吊りにしている場合と異なり安定して設置することを可能となした。
【００２５】
又、オーバーフローした雨水が覆い部３１に当たると覆い部３１は揺動し、この揺動によって吊り下げ部３２が衝突鳴動し鳴動音を発生するようになしたことから、雨水が直接吊り下げ部３２に当たって騒音が発生することを防ぐと共に、揺動による衝突鳴動が情緒ある鳴動音を発生させることが出来る。
【００２６】
さらに、鳴動音が発生することにより雨水タンク１１の最大容量まで雨水が溜まったことを知ることが出来る。また、上下２個の鳴動部３は音色が異なることから、雨水タンク１１のオーバーフロー時には、鳴動する鳴動部３の数によって鳴動装置２内に貯えられた雨水のおおよその水位を知ることが可能である。
【００２７】
なお、本願発明は上記に限定されない。例えば、鳴動装置２は筒状であれば良いので、鳴動装置２の下端を開放して地下に埋設した排水管に接続し、鳴動装置２を縦樋として用いても良い。
【図面の簡単な説明】
【００２８】
【図１】本願発明の一実施形態である鳴動装置付雨水タンクを示す（ａ）は全体を示す斜視図、（ｂ）は正面透視図。
【図２】同鳴動装置付雨水タンクにおける鳴動部を示す（ａ）は斜視図、（ｂ）は底面図。
【図３】従来例である雨水タンクを示す正面図。
【符号の説明】
【００２９】
１  鳴動装置付雨水タンク
11  雨水タンク
111  開口部
112  下部底面
２  鳴動装置
３  鳴動部
31  覆い部
32  吊り下げ部
４  軒樋
【図１】
0004605005.tif 000002
【図２】
0004605005.tif 000003
【図３】
0004605005.tif 000004